(57)【要約】      （修正有）【課題】点滴筒に装着されて輸液の投入状況を感知する輸液モニタリング装置を提供する。【解決手段】輸液モニタリング装置１００は点滴筒１を囲むように設置される本体１１０と、本体に設置され、点滴筒に落下する輸液を感知する光センサーと、光センサーの感知情報を受信し、輸液の投入速度、輸液の残量情報を分析する情報処理部を含む。本体は点滴筒を囲むように内部空間が形成されており、一側に内部空間と連通されるように上下に延長される切開線１１１が形成されるものの、切開線の幅は切開線を通じて輸液が移動するチューブが挿入され得るように形成され、本体の下部にはチューブに固定されるチューブ固定部が形成されていることが好ましい。【選択図】図３
2018075344.tif 000002
【特許請求の範囲】
【請求項１】
点滴筒を囲むように設置される本体と；
前記本体に設置され、前記点滴筒に落下する輸液を感知する光センサーと；
前記光センサーの感知情報を受信し、輸液の投入速度、輸液の残量情報を分析する情報処理部を含むことを特徴とする、輸液モニタリング装置。
【請求項２】
前記本体は前記点滴筒を囲むように内部空間が形成されており、一側に前記内部空間と連通されるように上下に延長される切開線が形成されるものの、
前記切開線の幅は前記切開線を通じて輸液が移動するチューブが挿入され得るように形成され、
前記本体の下部には前記チューブに固定されるチューブ固定部が形成されていることを特徴とする、請求項１に記載の輸液モニタリング装置。
【請求項３】
前記チューブ固定部は前記本体の下部に形成され、前記チューブの外径に対応する内径の把持溝が形成されており、
前記チューブが前記把持溝に挿入された状態で前記チューブ固定部の外側に結合されて前記チューブ固定部をチューブに向けて加圧して前記チューブとチューブ固定部を相互固定させるためのクランピング部材をさらに具備するものの、
前記クランピング部材は前記チューブ固定部の外径に対応する内径を有する円形リングであり、一側に前記チューブ固定部に着脱できるように出入り部が形成され、前記出入り部を中心に両端が外側に広がってから初期状態に復元できる弾性部材で形成されたことを特徴とする、請求項２に記載の輸液モニタリング装置。
【請求項４】
前記チューブ固定部の内側には前記チューブが挿入される補助クランピング部材が設けられ、
前記補助クランピング部材は前記本体の切開線に対応する方向に挿入口が形成されており、前記挿入口から前記チューブの外径に対応する挿入溝が所定の長さ延長されており、
前記クランピング部材は前記出入り部の方向が前記挿入口の形成方向と反対となるように前記チューブ固定部に締結されるように形成されたことを特徴とする、請求項３に記載の輸液モニタリング装置。
【請求項５】
前記本体には前記点滴筒で輸液の投入状況を確認できるように、前記点滴筒が見られるように透視可能な透視窓が形成されており、
一側に前記情報処理部の分析情報を表示するディスプレイが形成されていることを特徴とする、請求項３に記載の輸液モニタリング装置。
【請求項６】
前記本体の一側に形成される第１結合部と、
輸液が充填された容器がかかる支持棒または壁体に設置され、前記第１結合部と着脱可能に締結されて前記本体を前記支持棒または壁体に固定する第２結合部をさらに具備することを特徴とする、請求項５に記載の輸液モニタリング装置。
【請求項７】
前記光センサーは光を発振する発光部と、
前記発光部で発振された光を受光する受光部と、
前記受光部から受光信号の入力を受けて輸液の落下を判断する信号判別部を含み、
前記信号判別部は前記発光部の発光信号に対する情報を一緒に受信し、前記発光部の発光信号が入力された後、これに対応する受光部の受光信号を通じて輸液の落下の有無を判別することを特徴とする、請求項１に記載の輸液モニタリング装置。
【請求項８】
前記本体に設置されて前記情報処理部の分析情報を外部に無線転送する無線通信部をさらに具備することを特徴とする、請求項１に記載の輸液モニタリング装置。
【請求項９】
前記情報処理部の処理情報または前記無線通信部を通じて外部に入力される入力信号によって輸液の投入速度を調節する流量調節器を制御する流量制御部をさらに具備することを特徴とする、請求項８に記載の輸液モニタリング装置。
【発明の詳細な説明】
【技術分野】
【０００１】
本発明は輸液モニタリング装置に関するもので、さらに詳細には、点滴筒に装着されて輸液の投入状況を感知する輸液モニタリング装置に関するものである。
【背景技術】
【０００２】
患者の治療と管理のために必要な養分（すなわち、葡萄糖）および注射液などを患者に補充するために輸液容器（輸液パック、輸液瓶）に収容された輸液を患者の血管で注入する。
【０００３】
一般的な輸液注入装置は、図１に図示された通り、輸液を収容する輸液容器１０と、前記輸液容器１０と連結されて人体に輸液を供給するチューブ４０と、前記チューブ４０と前記輸液容器１０の間で輸液を貯蔵する点滴筒２０と、前記チューブ４０の末端部に設置されて人体の血管に注射される注射器５０と、前記点滴筒２０と注射器５０の間に設置されてチューブの断面積を調整して輸液が注射器に流れる量を調節する流量調節器３０で構成される。
【０００４】
このような輸液注入装置では輸液の投入遮断および輸液容器取替えのために看護婦や看病人が患者の周辺に常駐して輸液の量を随時チェックしなければならない不都合があり、さらに誤って輸液容器の除去および取替え時期を逃がす場合には輸液が注入されるチューブに沿って空気が流動して血管内に流入される危険状況を発生させる恐れがあり、輸液の注入をモニタリングして投薬終了時期を通報する感知装置が必要である。
【０００５】
このような問題を解決するために多様な輸液モニタリング方法が開発されたが、従来の輸液モニタリング方法は次のように三つの方式に大別することができる。
【０００６】
第一、輸液容器の栓や点滴ホースに光センサーを付着して光センサーの調度変化によって輸液の消耗を感知するようにした装置があるが、これは輸液の色相や透明度に影響を受けるため、輸液の有無による調度変化が小さい輸液の場合、誤作動の発生可能性がある。
【０００７】
第二、輸液容器内部に電極を挿入させて輸液がある時にだけ二つの電極の間に電流が流れる性質を利用する方法がある。この方法は輸液に挿入された電極による異物と細菌などの汚染に露出される問題点があり、輸液の重量変化を利用した装置は構造が複雑で設置および携帯が容易でないだけでなく輸液容器の重量によって設定値が異なるため使用が不便であるという問題点があった。
【０００８】
最後に、前述した問題点を改善した形態として韓国特許登録番号１０−０８０２３１３号がある。これによれば、電源が発光部に印加されると発光部は光を放射し、受光部では輸液の有無によって集まる光の量が変わるので相対的に電圧を区別して輸液の消尽を通報する。
【０００９】
しかし、前記先行特許は外部の光が遮断された状態で輸液の消尽などをモニタリングするため、外部の光が浸透しないように不透明な箱などの別途の密閉装置が必要となる。
【００１０】
このように自然光あるいは室内照明灯などの外部の光（雑音）の影響によって光センサーが誤動作する可能性があり、輸液の消尽可否を判断するにおいて正確度が落ちる問題点があるため、点滴チャンバーの配置や環境照明などに影響されないモニタリング装置が要求される。
【先行技術文献】
【特許文献】
【００１１】
【特許文献１】韓国登録特許第１０−０８０２３１３号：リンカー液消尽警報装置
【特許文献２】韓国登録特許第１０−１６２２１５７号：輸液測定機およびその制御方法
【特許文献３】韓国公開特許第１０−２０１６−００８２８４１号：リンカー液モニタリング装置
【発明の概要】
【発明が解決しようとする課題】
【００１２】
本発明は前記問題点を解決するために創出されたもので、点滴筒に設置して輸液の投入状況をリアルタイムでモニタリングすることによって輸液の投入速度、残量情報などを管理長に伝達することによって効率的な輸液投入管理を行うことができる輸液モニタリング装置を提供することにその目的がある。
【課題を解決するための手段】
【００１３】
本発明に係る輸液モニタリング装置は点滴筒を囲むように設置される本体と、前記本体に設置され、前記点滴筒に落下する輸液を感知する光センサーと、前記光センサーの感知情報を受信し、輸液の投入速度、輸液の残量情報を分析する情報処理部を含む。
【００１４】
前記本体は前記点滴筒を囲むように内部空間が形成されており、一側に前記内部空間と連通するように上下に延長される切開線が形成されるものの、前記切開線の幅は前記切開線を通じて輸液が移動するチューブが挿入され得るように形成され、前記本体の下部には前記チューブに固定されるチューブ固定部が形成されていることが好ましい。
【００１５】
前記チューブ固定部は前記本体の下部に形成され、前記チューブの外径に対応する内径の把持溝が形成されており、前記チューブが前記把持溝に挿入された状態で前記チューブ固定部の外側に結合されて前記チューブ固定部をチューブに向けて加圧して前記チューブとチューブ固定部を相互固定させるためのクランピング部材をさらに具備するものの、前記クランピング部材は前記チューブ固定部の外径に対応する内径を有する円形リングであり、一側に前記チューブ固定部に着脱できるように出入り部が形成され、前記出入り部を中心に両端が外側で広がってから初期状態に復元できる弾性部材で形成されることが好ましい。
【００１６】
前記チューブ固定部の内側には前記チューブが挿入される補助クランピング部材が設けられ、前記補助クランピング部材は前記本体の切開線に対応する方向に挿入口が形成されており、前記挿入口から前記チューブの外径に対応する挿入溝が所定の長さ延長されており、前記クランピング部材は前記出入り部の方向が前記挿入口の形成方向と反対となるように前記チューブ固定部に締結されるように形成されることが好ましい。
【００１７】
前記本体には前記点滴筒で輸液の投入状況を確認できるように、前記点滴筒が見られるように透視可能な透視窓が形成されており、一側に前記情報処理部の分析情報を表示するディスプレイが形成されていることが好ましい。
【００１８】
また、前記本体の一側に形成される第１結合部と、輸液が充填された容器がかかる支持棒または壁体に設置され、前記第１結合部と着脱可能に締結されて前記本体を前記支持棒または壁体に固定する第２結合部をさらに具備することができる。
【００１９】
前記光センサーは光を発振する発光部と、前記発光部で発振された光を受光する受光部と、前記受光部から受光信号の入力を受けて輸液の落下を判断する信号判別部を含み、前記信号判別部は前記発光部の発光信号に対する情報を一緒に受信し、前記発光部の発光信号が入力された後、これに対応する受光部の受光信号を通じて輸液の落下の有無を判別するように形成されることが好ましい。
【００２０】
輸液モニタリング装置はまた、前記本体に設置されて前記情報処理部の分析情報を外部に無線転送する無線通信部をさらに具備することができる。
【００２１】
前記情報処理部の処理情報または前記無線通信部を通じて外部に入力される入力信号によって輸液の投入速度を調節する流量調節器を制御する流量制御部をさらに具備することができる。
【発明の効果】
【００２２】
本発明の輸液モニタリング装置は点滴筒に容易に装着することができ、自然光による感知エラーを防止して輸液の投入状況を正確にモニタリングできる利点がある。
【図面の簡単な説明】
【００２３】
【図１】従来の輸液注入装置を図示した図面。
【図２】本発明に係る輸液モニタリング装置が輸液パックに結合された実施例の斜視図。
【図３】本発明の輸液モニタリング装置が点滴筒に結合された状態の斜視図。
【図４】図３の輸液モニタリング装置の分離斜視図。
【図５】図３の輸液モニタリング装置の締結過程を表現した断面図。
【図６】図３の輸液モニタリング装置の構成を表示したブロック図。
【図７】支持棒と結合されるクランピング手段をさらに含む輸液モニタリング装置の他の実施例の斜視図。
【図８】光センサーの構成を図示したブロック図。
【発明を実施するための形態】
【００２４】
以下、添付した図面を参照して本発明の実施例に係る輸液モニタリング装置について詳細に説明する。本発明は多様な変更を加えることができ、様々な形態を有することができるところ、特定実施例を図面に例示して本文に詳細に説明する。しかし、これは本発明を特定の開示形態に対して限定しようとするものではなく、本発明の思想および技術範囲に含まれるすべての変更、均等物ないし代替物を含むものと理解されるべきである。各図面を説明して類似の参照符号を類似の構成要素に対して使用した。添付された図面において、構造物の寸法は本発明の明確性を期するために実際より拡大して図示している。
【００２５】
第１、第２などの用語は多様な構成要素の説明に使用され得るが、前記構成要素は前記用語によって限定されない。前記用語は一つの構成要素を他の構成要素から区別する目的でのみ使用される。例えば、本発明の権利範囲を逸脱することなく第１構成要素は第２構成要素と命名され得、同様に第２構成要素も第１構成要素と命名され得る。
【００２６】
本出願で使用した用語は単に特定の実施例を説明するために使用されたもので、本発明を限定しようとする意図ではない。単数の表現は文脈上明白に異なることを意味しない限り、複数の表現を含む。本出願で、「含む」または「有する」などの用語は明細書上に記載された特徴、数字、段階、動作、構成要素、部分品またはこれらを組み合わせたものが存在することを指定しようとするものであり、一つまたはそれ以上の他の特徴や数字、段階、動作、構成要素、部分品またはこれらを組み合わせたものなどの存在または付加可能性をあらかじめ排除しないものと理解されるべきである。
【００２７】
特に定義されない限り、技術的であるか科学的な用語を含めて、ここで使用されるすべての用語は本発明が属する技術分野で通常の知識を有した者によって一般的に理解されるものと同じ意味を有している。一般的に使用される辞書に定義されているような用語は関連技術の文脈上有する意味と一致する意味を有すると解釈されるべきで、本出願で明白に定義しない限り、理想的であるか過度に形式的な意味と解釈されない。
【００２８】
図面を参照すれば本発明の輸液モニタリング装置１００は点滴筒１に設置されて点滴筒１に落下する輸液を感知することによって輸液の投入量、投入速度などに対してモニタリングする。
【００２９】
このために本発明の輸液モニタリング装置１００は点滴筒１に固定される本体１１０と、前記本体１１０に設置される光センサー１３０と、前記光センサー１３０の感知情報を受信し、輸液の投入状況を分析する情報処理部１４０を含む。
【００３０】
前記本体１１０は点滴筒１を囲むことができるように内部に所定の内部空間が形成されており、点滴筒１との着脱のために上端から下端まで延長され、前記点滴筒１が内蔵される内部空間で連通される切開部１１１が上下の長さ方向に沿って形成されている。
【００３１】
本体１１０は一側にディスプレイ１１２が形成されているが、前記ディスプレイ１１２は情報処理部１４０で処理された処理情報を表示し、他側にはリセットまたは設定変更などのための入力部１１４がボタンの形態で形成されている。
【００３２】
また、本体１１０の一側の側面には内部が見られるように透視窓１１３が形成されている。前記透視窓１１３は本体１１０を設置した状態で点滴筒１を直接肉眼で確認できるように形成されたものであって、看護婦や医師または患者本人が輸液が注入される状態を直接肉眼で確認しようとする時に前記透視窓１１３を通じて点滴筒１の内部状態を直接確認することができる。
【００３３】
前記本体１１０の上部側開口は点滴筒１の上端部外径に対応するように形成されるが、前記本体１１０の上部側開口の内径が点滴筒１の上端部外径より所定長さ小さいように形成して、本体１１０を点滴筒１に設置する時、前記上部側開口が点滴筒１の上端部を所定の力で加圧しながら結合状態が維持されるようにする。
【００３４】
また、本体１１０の下部側開口は点滴筒１と患者の身体に挿入される注入部を連結して輸液が移動するチューブの外径に対応するように形成されるが、本体１１０の下部にはチューブとの結合のためにチューブ固定部が形成される。
【００３５】
前記チューブ固定部は本体１１０をチューブに密着固定して本体１１０が点滴筒１を囲む状態で結合状態を維持できるように固定するものである。このために、チューブ固定部は本体１１０の下部内側に設置される補助クランピング部材１１５と、本体１１０の下部外側に結合されるクランピング部材１１８を含む。
【００３６】
前記補助クランピング部材１１５は本体１１０の下部内側に装着され、前記切開部１１１と対応する位置に挿入口１１６が形成されている。そして挿入口１１６から内側に引き込まれる挿入溝１１７が形成されているが、前記挿入溝１１７にチューブが挿入され得るように形成される。
【００３７】
そして、前記クランピング部材１１８は本体１１０の下部外側で結合されるが、円形のリング状であり、一側に出入り部１１９が形成されているため前記出入り部１１９を中心に両端を広げて前記本体１１０の下部に締結するか脱去することができる。
【００３８】
前記クランピング部材１１８は合成樹脂または金属材で形成されるが、弾性変形が可能な素材で形成され、前記出入り部１１９が広がりながら本体１１０の下部に挟まれた後出入り部１１９が初期位置に復帰するとクランピング部材１１８によって本体１１０の下部が加圧されてチューブと固定状態を維持する。この時、前記クランピング部材１１８を結合する方向は前記出入り部１１９の位置が切開部１１１と反対となる方向に位置するように締結することが好ましい。
【００３９】
また、前記補助クランピング部材１１５はチューブとの締結時にチューブに損傷が加えられることを防止するように所定の弾性力は有するものの、前記チューブの外面と接触される接触部分が摩擦力によってスリップが発生しないように形成されることが好ましく、このために補助クランピング部材１１５はゴムや合成ゴムまたは伸縮性のある合成樹脂材で形成され得、チューブと接触される接触面にスリップ防止のためのパターンが形成されることもある。
【００４０】
また、前記本体１１０を輸液パックや輸液瓶を支持する支持棒２または壁体に固定するための結合手段をさらに具備することができる。
【００４１】
この実施例が図７に図示されているが、本実施例の場合、前記本体１１０に第１結合部１２０が形成され、支持棒２に第２結合部１２３が設置される。
【００４２】
前記第１結合部１２０は本体１１０に切開部１１１が形成された面と対向する反対側に形成されており、外側に所定の長さ突出されて上下に所定の長さ延長される突出部１２１と、前記突出部１２１の端部で突出部１２１の両側方向に延長される拡張部１２２で構成される。
【００４３】
前記第２結合部１２３は支持棒２に結合される棒結合部１２４と、前記棒結合部１２４から延長される延長部１２５と、延長部１２５の端部に形成されて前記拡張部１２２が挿入され得るように上部が開口されて下方に延長された収容溝を有する収容部１２８を含む。
【００４４】
前記収容部１２８の前面には前記第１結合部１２０の突出部１２１が延長され得るように上端から下方に延長されるスリット溝１２９が形成されている。
【００４５】
前記延長部１２５は第１延長部材１２６と第２延長部材１２７を具備し、第１延長部材１２６を第２延長部材１２７から引き出すことができる構造で形成されており、必要に応じて延長部１２５の長さを調節することができる。本実施例の場合、前記延長部１２５を２段に構成したが、３段または４段に延長部１２５を形成することもできる。
【００４６】
本実施例の場合、本体１１０が第１結合部１２０と第２結合部１２３によって支持棒２に固定された状態であるため、移動時または風や周辺の人、事物との衝突のような外部要因によって点滴筒１が揺れることを防止して光センサー１３０による輸液の投入感知を正確になすことができる。
【００４７】
前記光センサー１３０は本体１１０に設置されて前記点滴筒１に落ちる輸液を感知し、感知情報を情報処理部１４０に伝達する。
【００４８】
図８を参照すれば光センサー１３０は光を発振する光発振器１３１と、発光部１３２、受光部１３３および信号判別部１３４を含む。
【００４９】
光センサー１３０は赤外線、レーザー、紫外線などの多様な波長の光が適用され得、光発振器１３１で発振された光は発光部１３２を通じて受光部１３３に向かって照射される。
【００５０】
受光部１３３は発光部１３２から照射された光を受光するが、この時、発光部１３２と受光部１３３の間を通過する場合、前記輸液によって受光部１３３では発光部１３２から照射された光が受光されないか光の歪曲が発生する。受光部１３３では受光信号を信号判別部１３４に伝達し、信号判別部１３４は受光部１３３の受光信号を通じて輸液の落下の有無を判別する。
【００５１】
この時、信号判別部１３４は発光部１３２から光が照射される発光信号もともに収集して、信号判別に適用する。これは自然光による感知エラーを防止するためのものであるが、前記透視窓１１３や切開部１１１を通じて自然光が入射される場合、前記発光部１３２と受光部１３３の間に輸液が通過しながら輸液の落下がなされたが、前記自然光によって受光部１３３に光が受信されたものと感知エラーが発生する可能性があるので、前記信号判別部１３４は発光部１３２の発光信号と受光部１３３の受光信号が一致する場合、受光部１３３の受光信号の信号が正常信号であると判断し、発光信号が入力された状態で受光信号が入力されない場合だけを輸液落下と判断する。
【００５２】
信号判別部１３４は判別情報を前記情報処理部１４０に伝達する。
【００５３】
情報処理部１４０は光センサー１３０から受けた情報に基づいて輸液の投入量と投入速度を分析する。
【００５４】
情報処理部１４０の分析情報は制御部１５０に伝達され、制御部１５０は分析結果をディスプレイ１１２を通じて表示する。そして、制御部１５０は入力部１１４と連結されているため、設定を初期化するか再設定するまたはディスプレイ１１２に表示される表示情報を変化させることができる。
【００５５】
そして、制御部１５０は輸液の投入速度を制御するための流量制御部１６０と連結されて自動で流量を制御することもできる。流量制御部１６０はチューブに設置され、チューブの内部通路を狭くしたり広くする形態で流量制御をすることができる。
【００５６】
また、無線通信部１７０を通じて情報処理部１４０で処理された情報は外部の管理者端末１８０に転送され得る。無線通信部１７０はブルートゥースやＷｉ−Ｆｉ、ｂｅａｃｏｎなどの無線通信方式を適用することができ、管理者の携帯用端末すなわち、例えばスマートフォンやタブレットＰＣまたは専用の端末機に情報を伝達するか管理者のＰＣに関連情報を伝達して管理者が直接患者に行かなくても輸液の投入情報を確認できるようにすることができる。
【００５７】
前記無線通信部１７０は管理者の端末機から信号を受信することもでき、これを通じて管理者が流量制御部１６０を遠隔で制御することもできる。
【００５８】
提示された実施例に対する説明は任意の本発明の技術分野で通常の知識を有した者が本発明を利用するかまたは実施できるように提供される。このような実施例に対する多様な変形は本発明の技術分野で通常の知識を有した者に明白であり、ここに定義された一般的な原理は本発明の範囲を逸脱することなく他の実施例に適用され得る。したがって、本発明はここに提示された実施例に限定されるものではなく、ここに提示された原理および新規の特徴と一貫する最広義の範囲で解釈されるべきである。
【符号の説明】
【００５９】
１    点滴筒
２    支持棒
１００    輸液モニタリング装置
１１０    本体
１１１    切開部
１１２    ディスプレイ
１１３    透視窓
１１４    入力部
１１５    補助クランピング部材
１１６    挿入口
１１７    挿入溝
１１８    クランピング部材
１１９    出入り部
１２０    第１結合部
１２１    突出部
１２２    拡張部
１２３    第２結合部
１２４    棒結合部
１２５    延長部
１２６    第１延長部材
１２７    第２延長部材
１２８    収容部
１２９    スリット溝
１３０    光センサー
１３１    光発振器
１３２    発光部
１３３    受光部
１３４    信号判別部
１４０    情報処理部
１５０    制御部
１６０    流量制御部
１７０    無線通信部
１８０    管理者端末
【図１】
2018075344.tif 000003
【図２】
2018075344.tif 000004
【図３】
2018075344.tif 000005
【図４】
2018075344.tif 000006
【図５】
2018075344.tif 000007
【図６】
2018075344.tif 000008
【図７】
2018075344.tif 000009
【図８】
2018075344.tif 000010
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
点滴筒を囲むように設置される本体と；
前記本体に設置され、前記点滴筒に落下する輸液を感知する光センサーと；
前記光センサーの感知情報を受信し、輸液の投入速度、輸液の残量情報を分析する情報処理部を含み、
前記本体は前記点滴筒を囲むように内部空間が形成されており、一側に前記内部空間と連通されるように上下に延長される切開線が形成されるものの、
前記切開線の幅は前記切開線を通じて輸液が移動するチューブが挿入され得るように、且つ、前記点滴筒が通過しないように形成され、
前記本体の上部側開口は前記点滴筒の上端部外径に対応するように形成され、
前記本体の下部には前記チューブに固定されるチューブ固定部が形成されていることを特徴とする、輸液モニタリング装置。
【請求項２】
前記チューブ固定部は前記本体の下部に形成され、前記チューブの外径に対応する内径の把持溝が形成されており、
前記チューブが前記把持溝に挿入された状態で前記チューブ固定部の外側に結合されて前記チューブ固定部をチューブに向けて加圧して前記チューブとチューブ固定部を相互固定させるためのクランピング部材をさらに具備するものの、
前記クランピング部材は前記チューブ固定部の外径に対応する内径を有する円形リングであり、一側に前記チューブ固定部に着脱できるように出入り部が形成され、前記出入り部を中心に両端が外側に広がってから初期状態に復元できる弾性部材で形成されたことを特徴とする、請求項１に記載の輸液モニタリング装置。
【請求項３】
前記チューブ固定部の内側には前記チューブが挿入される補助クランピング部材が設けられ、
前記補助クランピング部材は前記本体の切開線に対応する方向に挿入口が形成されており、前記挿入口から前記チューブの外径に対応する挿入溝が所定の長さ延長されており、
前記クランピング部材は前記出入り部の方向が前記挿入口の形成方向と反対となるように前記チューブ固定部に締結されるように形成されたことを特徴とする、請求項２に記載の輸液モニタリング装置。
【請求項４】
前記本体には前記点滴筒で輸液の投入状況を確認できるように、前記点滴筒が見られるように透視可能な透視窓が形成されており、
一側に前記情報処理部の分析情報を表示するディスプレイが形成されていることを特徴とする、請求項２に記載の輸液モニタリング装置。
【請求項５】
前記本体の一側に形成される第１結合部と、
輸液が充填された容器がかかる支持棒または壁体に設置され、前記第１結合部と着脱可能に締結されて前記本体を前記支持棒または壁体に固定する第２結合部をさらに具備することを特徴とする、請求項４に記載の輸液モニタリング装置。
【請求項６】
前記光センサーは光を発振する発光部と、
前記発光部で発振された光を受光する受光部と、
前記受光部から受光信号の入力を受けて輸液の落下を判断する信号判別部を含み、
前記信号判別部は前記発光部の発光信号に対する情報を一緒に受信し、前記発光部の発光信号が入力された後、これに対応する受光部の受光信号を通じて輸液の落下の有無を判別することを特徴とする、請求項１に記載の輸液モニタリング装置。
【請求項７】
前記本体に設置されて前記情報処理部の分析情報を外部に無線転送する無線通信部をさらに具備することを特徴とする、請求項１に記載の輸液モニタリング装置。
【請求項８】
前記情報処理部の処理情報または前記無線通信部を通じて外部に入力される入力信号によって輸液の投入速度を調節する流量調節器を制御する流量制御部をさらに具備することを特徴とする、請求項７に記載の輸液モニタリング装置。
【手続補正２】
【補正対象書類名】明細書
【補正対象項目名】００１４
【補正方法】変更
【補正の内容】
【００１４】
前記本体は前記点滴筒を囲むように内部空間が形成されており、一側に前記内部空間と連通するように上下に延長される切開線が形成されるものの、前記切開線の幅は前記切開線を通じて輸液が移動するチューブが挿入され得るように、且つ、前記点滴筒が通過しないように形成され、前記本体の上部側開口は前記点滴筒の上端部外径に対応するように形成され、前記本体の下部には前記チューブに固定されるチューブ固定部が形成されている。
【手続補正３】
【補正対象書類名】明細書
【補正対象項目名】００３０
【補正方法】変更
【補正の内容】
【００３０】
前記本体１１０は点滴筒１を囲むことができるように内部に所定の内部空間が形成されており、点滴筒１との着脱のために上端から下端まで延長され、前記点滴筒１が内蔵される内部空間で連通される切開線１１１が上下の長さ方向に沿って形成されている。切開線１１１の幅は切開線１１１を通じて輸液が移動するチューブが挿入され得るように、且つ、点滴筒１が通過しないように形成されている。
【手続補正４】
【補正対象書類名】明細書
【補正対象項目名】００３６
【補正方法】変更
【補正の内容】
【００３６】
前記補助クランピング部材１１５は本体１１０の下部内側に装着され、前記切開線１１１と対応する位置に挿入口１１６が形成されている。そして挿入口１１６から内側に引き込まれる挿入溝１１７が形成されているが、前記挿入溝１１７にチューブが挿入され得るように形成される。
【手続補正５】
【補正対象書類名】明細書
【補正対象項目名】００３８
【補正方法】変更
【補正の内容】
【００３８】
前記クランピング部材１１８は合成樹脂または金属材で形成されるが、弾性変形が可能な素材で形成され、前記出入り部１１９が広がりながら本体１１０の下部に挟まれた後出入り部１１９が初期位置に復帰するとクランピング部材１１８によって本体１１０の下部が加圧されてチューブと固定状態を維持する。この時、前記クランピング部材１１８を結合する方向は前記出入り部１１９の位置が切開線１１１と反対となる方向に位置するように締結することが好ましい。
【手続補正６】
【補正対象書類名】明細書
【補正対象項目名】００４２
【補正方法】変更
【補正の内容】
【００４２】
前記第１結合部１２０は本体１１０に切開線１１１が形成された面と対向する反対側に形成されており、外側に所定の長さ突出されて上下に所定の長さ延長される突出部１２１と、前記突出部１２１の端部で突出部１２１の両側方向に延長される拡張部１２２で構成される。
【手続補正７】
【補正対象書類名】明細書
【補正対象項目名】００５１
【補正方法】変更
【補正の内容】
【００５１】
この時、信号判別部１３４は発光部１３２から光が照射される発光信号もともに収集して、信号判別に適用する。これは自然光による感知エラーを防止するためのものであるが、前記透視窓１１３や切開線１１１を通じて自然光が入射される場合、前記発光部１３２と受光部１３３の間に輸液が通過しながら輸液の落下がなされたが、前記自然光によって受光部１３３に光が受信されたものと感知エラーが発生する可能性があるので、前記信号判別部１３４は発光部１３２の発光信号と受光部１３３の受光信号が一致する場合、受光部１３３の受光信号の信号が正常信号であると判断し、発光信号が入力された状態で受光信号が入力されない場合だけを輸液落下と判断する。
【手続補正８】
【補正対象書類名】明細書
【補正対象項目名】００５９
【補正方法】変更
【補正の内容】
【００５９】
１    点滴筒
２    支持棒
１００    輸液モニタリング装置
１１０    本体
１１１    切開線
１１２    ディスプレイ
１１３    透視窓
１１４    入力部
１１５    補助クランピング部材
１１６    挿入口
１１７    挿入溝
１１８    クランピング部材
１１９    出入り部
１２０    第１結合部
１２１    突出部
１２２    拡張部
１２３    第２結合部
１２４    棒結合部
１２５    延長部
１２６    第１延長部材
１２７    第２延長部材
１２８    収容部
１２９    スリット溝
１３０    光センサー
１３１    光発振器
１３２    発光部
１３３    受光部
１３４    信号判別部
１４０    情報処理部
１５０    制御部
１６０    流量制御部
１７０    無線通信部
１８０    管理者端末